(57)【要約】【課題】指定したチャンネル番号の放送が終了している場合に、チャンネル番号を変更し、その変更を報知する受信装置及びコンピュータプログラムを提供する。【解決手段】チャンネル番号を指定し、複数の放送から視聴する放送の放送信号を受信するテレビ受信機１において、指定したチャンネル番号の放送が終了しているか否かを判定する。そして、その放送が終了している場合、指定したチャンネル番号を変更する。さらに、ディスプレイ２に変更情報画面２ａを表示させ、変更されたチャンネル番号を報知する。【選択図】図３
2008283395.tif 000002
【特許請求の範囲】
【請求項１】
指定された選局番号の放送が放送時間内である場合に、前記放送の放送信号を受信する受信装置において、
指定された選局番号の放送が放送時間外であるか否かを判定する判定手段と、
前記放送が放送時間外である場合、指定された選局番号を変更する変更手段と、
前記変更手段により変更されたことを報知する報知手段と
を備えていることを特徴とする受信装置。
【請求項２】
前記報知手段は、
変更されたことを視覚的に報知する構成としてあることを特徴とする請求項１に記載の受信装置。
【請求項３】
所定の時間間隔で、前記選局番号を順次指定する指定手段をさらに備え、
前記変更手段は、
前記放送が放送時間外である場合、前記指定手段が指定した選局番号を次順の選局番号に変更する構成としてあることを特徴とする請求項２に記載の受信装置。
【請求項４】
前記変更手段による変更前の選局番号を記憶する記憶手段と、
記憶された選局番号が指定されたか否かを判定する指定判定手段と、
該指定判定手段により前記選局番号が指定されたと判定された場合、前記報知手段による報知を禁止する禁止手段と
をさらに備えることを特徴とする請求項１乃至３の何れか１つに記載の受信装置。
【請求項５】
コンピュータに、複数の放送から視聴者が視聴する放送の選局番号を指定させ、該選局番号の放送が放送時間内である場合に、前記放送の放送信号を受信させるためのコンピュータプログラムにおいて、
コンピュータを、
指定された選局番号の放送が放送時間外であるかを判定する判定手段、
前記放送が放送時間外である場合、指定された選局番号を変更する変更手段、及び、
前記変更手段により変更されたことを報知させる報知信号を出力する出力手段
として機能させることを特徴とするコンピュータプログラム。
【発明の詳細な説明】
【技術分野】
【０００１】
本発明は、ラジオ又はテレビ等の複数の放送から所望の放送の放送信号を受信する受信装置及びコンピュータプログラムに関する。
【背景技術】
【０００２】
ケーブル放送又はディジタル放送等の普及により、テレビのチャンネル数が増加している。そして、チャンネル数の増加に伴い、チャンネルを自動で切り替える機能を備えたテレビが増加してきている。この機能を備えたテレビは、チャンネルを、例えば、１ｃｈ（チャンネル）、２ｃｈ、６ｃｈ・・・のように順次切り替え、そのチャンネルの放送を表示するようになっている。これにより、ユーザは、チャンネルを切り替え、同時間帯の放送をチェックする、所謂「ザッピング」を簡単に行うことができる。
【０００３】
特許文献１には、前記機能と、深夜時間帯に複数のチャンネルを順次切り替えていく場合に、放送が終了したチャンネルをスキップする機能とを備えたテレビが開示されている。放送が終了したチャンネルを受信した場合、例えば白色雑音が出力され、ユーザが不快に感じてしまうため、特許文献１のように、放送が終了したチャンネルをスキップすることで、かかる雑音の出力を回避することができる。
【特許文献１】特開平５−２５５８０号公報
【発明の開示】
【発明が解決しようとする課題】
【０００４】
ところが、特許文献１のように、放送が終了したチャンネルをスキップした場合、ユーザは、放送が終了したのか、その放送の信号が受信できなかったのか、又は放送の信号の受信設定が変更されたのかが把握できない可能性があった。
【０００５】
本発明はかかる事情に鑑みてなされたものであり、その目的とするところは、指定した選局番号の放送が放送時間外である場合に、選局番号を変更し、変更したことを報知する構成とすることでユーザに変更を把握させることができる受信装置及びコンピュータプログラムを提供することにある。
【０００６】
また、本発明の他の目的は、変更されたことを視覚的に報知する構成とすることで、明確にユーザに把握させることができる受信装置を提供することにある。
【０００７】
また、本発明の他の目的は、選局番号を順次指定する構成とすることで、放送を順次チェックすることができる受信装置を提供することにある。
【０００８】
さらに、本発明の他の目的は、放送時間外の放送の選局番号を記憶し、記憶された選局番号が指定された場合に、変更の報知を禁止する構成とすることで、ユーザに煩わしさを感じさせないようにできる受信装置を提供することにある。
【課題を解決するための手段】
【０００９】
本発明に係る受信装置は、指定された選局番号の放送が放送時間内である場合に、前記放送の放送信号を受信する受信装置において、指定された選局番号の放送が放送時間外であるか否かを判定する判定手段と、前記放送が放送時間外である場合、指定された選局番号を変更する変更手段と、前記変更手段により変更されたことを報知する報知手段とを備えていることを特徴とする。
【００１０】
また、本発明に係る受信装置は、前記報知手段が、変更されたことを視覚的に報知する構成としてあることを特徴とする。
【００１１】
また、本発明に係る受信装置は、所定の時間間隔で、前記選局番号を順次指定する指定手段をさらに備え、前記変更手段は、前記放送が放送時間外である場合、前記指定手段が指定した選局番号を次順の選局番号に変更する構成としてあることを特徴とする。
【００１２】
また、本発明に係る受信装置は、前記変更手段による変更前の選局番号を記憶する記憶手段と、記憶された選局番号が指定されたか否かを判定する指定判定手段と、該指定判定手段により前記選局番号が指定されたと判定された場合、前記報知手段による報知を禁止する禁止手段とをさらに備えることを特徴とする。
【００１３】
別の観点において、本発明に係るコンピュータプログラムは、コンピュータに、複数の放送から視聴者が視聴する放送の選局番号を指定させ、該選局番号の放送が放送時間内である場合に、前記放送の放送信号を受信させるためのコンピュータプログラムにおいて、コンピュータを、指定された選局番号の放送が放送時間外であるかを判定する判定手段、前記放送が放送時間外である場合、指定された選局番号を変更する変更手段、及び、前記変更手段により変更されたことを報知させる報知信号を出力する出力手段として機能させることを特徴とする。
【００１４】
本発明においては、指定された選局番号の放送が放送時間外である場合、変更手段が指定された選局番号し、報知手段が変更したことを報知する。
【００１５】
また、本発明の場合、変更したことを視覚的に報知する。
【００１６】
さらに、本発明においては、指定手段が指定した選局番号が放送時間外の放送の選局番号である場合、指定手段が指定した選局番号の次順の選局番号を指定する。
【００１７】
また、本発明において、変更前の選局番号を記憶し、指定判定手段が記憶された選局番号が指定されたかを判定する。そして、選局番号が指定されたと判定された場合、禁止手段が、変更の報知を禁止する。即ち、一度報知した変更を再度報知しない。
【発明の効果】
【００１８】
本発明は、視聴する選局番号の放送が放送時間外である場合に、選局番号を変更し、その旨を報知する構成としてあるため、指定した選局番号の放送が放送時間外であったことを、ユーザに把握させることができるという効果を有する。
【００１９】
また、本発明は、視覚的に変更を報知する構成としてあるため、ユーザに変更をより明確に把握させることができるという効果を有する。
【００２０】
さらに、本発明は、ユーザが、放送を選局番号順にチェックすることができるという効果を有する。
【００２１】
また、本発明は、一度報知した変更を再度報知しない構成とすることで、ユーザに煩わしさを感じさせないようにできるという効果を有する。
【発明を実施するための最良の形態】
【００２２】
（実施形態）
以下、図面に基づき、本発明の受信装置を、ディジタル放送の視聴が可能なテレビ受信機とした場合による実施の形態を説明する。なお、以下の説明において、テレビ受信機１は、ディジタル放送信号を受信するものとして説明するが、アナログ放送信号を受信するものであってもよい。
【００２３】
図１は、本実施の形態のテレビ受信機１を示す概略図である。テレビ受信機１は、図１に示すように、ディスプレイ（報知手段）２、スピーカ３、及びリモコン受光器４を備えている。ディスプレイ２は、映像及び文字情報等を表示する。スピーカ３は、映像と同期する音声を出力し、ディスプレイ２に表示される文字情報を音声により出力する。リモコン受光器４は、リモートコントローラ（以下、リモコンと言う）３０が出力する信号光を受光し、電気信号に変換する。かかる信号光は、リモコン３０で操作されたボタンに対応する操作信号である。本実施の形態のリモコン３０は、特に図示しないが、一のチャンネル番号（選局番号）を指定するチャンネルボタン（以下、ｃｈボタンと言う）、チャンネル番号を、１、２、３、、と自動で順次切り替えるオートチャンネルボタン（以下、オートｃｈボタンと言う）、及び音量を調整する音量ボタン等を備えている。なお、以下の説明において、例えばチャンネル番号「１」を１ｃｈと言う。
【００２４】
ユーザは、このリモコン３０のｃｈボタンを操作することにより、操作されたｃｈボタンに対応する放送の視聴が可能となる。また、ユーザは、リモコン３０のオートｃｈボタンを操作することにより、チャンネル番号が自動で切り替えられ、所定の時間間隔で、各放送の視聴が可能となる。より具体的には、チャンネル番号が１ｃｈ、２ｃｈ、３ｃｈ、、の昇順に切り替えられ、例えば３秒間隔で、１ｃｈの放送、２ｃｈの放送、３ｃｈの放送といった視聴が可能となる。これにより、ユーザは、同時間帯の放送を、特に操作することなく、順番にチェックする「ザッピング」が可能となる。
【００２５】
次に、テレビ受信機１の電気的構成について図２を参照して説明する。図２は、図１のテレビ受信機１の電気的構成を示す図である。テレビ受信機１は、図２に示すように、ＣＰＵ（Central Processing Unit）１０と、ＲＯＭ（Read Only Memory）１１と、ＲＡＭ（Random Access Memory）１２とを備えている。
【００２６】
ＣＰＵ１０は、図４及び図５のフローチャートに示す処理ルーチンを実行する。これにより、テレビ受信機１は、後に詳述するが、リモコン３０から信号光を受信する機能、指定されたチャンネル番号（以下、指定チャンネルと言う）に基づいて、複数の放送信号から特定の放送信号を選択する機能、チャンネル番号を順次自動で切り替える機能、選択した放送信号の放送が放送時間外であるか否かを判定する機能、放送が放送時間外である場合、指定チャンネルを変更する機能、及び指定チャンネルの変更を報知するか否かを決定する機能等を奏する。
【００２７】
なお、放送時間とは、各放送局が発信する番組が視聴可能な時間帯を言う。即ち、放送が放送時間外である場合は、深夜に放送が終了し、早朝に放送開始していない時間帯で、番組が視聴できない場合である。視聴する放送が放送時間外である場合、番組の映像データ及び音声データが含まれていないため、本実施の形態において、ＣＰＵ１０は、選択した放送信号に映像データ及び音声データを含んでいない場合を、放送時間外の放送と判定する。
【００２８】
ＲＯＭ１１は、ＣＰＵ１０が図４及び図５の処理ルーチンを実行するためのプログラムを記憶する。ＲＡＭ（記憶手段）１２は、ＣＰＵ１０が処理を行うために必要な情報、例えば視聴する放送の番組プログラム、番組内容情報、及び番組ジャンル情報等（以下、番組情報と言う）、及び指定チャンネル等を一時的に記憶する。なお、ＥＰＲＯＭ（Erasable and Programmable ROM）又はフラッシュメモリ等を設けて、番組情報及び指定チャンネル等を記憶するようにしてもよい。
【００２９】
また、ＲＯＭ１１の指定された各アドレスには、受信チャンネルデータが記憶されている。かかる受信チャンネルデータに基づいて、後述のチューナ１３は、複数の放送信号から一つの放送信号を選択する。例えば、ＲＯＭ１１の「２００」番地に「第１受信チャンネルデータ」、「２０１」番地に「第２受信チャンネルデータ」、「２０３」番地に「第３受信チャンネルデータ」のように、テレビ受信機１が受信できる全放送の受信チャンネルデータがＲＯＭ１１に記憶されている。
【００３０】
ＲＡＭ１２の指定された各アドレスには、受信チャンネルデータが記憶されるＲＯＭ１１のアドレスを示すアドレスポインタが記憶されている。例えば、ＲＡＭ１２の「２１００」番地に「２００」、「２１０１」番地に「２０１」のように、ＲＯＭのアドレスポインタが記憶される。また、ＲＡＭ１２のアドレスは、リモコン３０で指定されるチャンネル番号が対応付けられている。例えば、「２１００」番地に１ｃｈ、「２１０１」番地に２ｃｈが対応付けられる。
【００３１】
そして、ＣＰＵ１０は、ＲＡＭ１２を参照し、指定チャンネルからＲＯＭ１１のアドレスポインタを取得する。さらに、ＲＯＭ１１を参照し、取得したアドレスポインタから、受信チャンネルデータを取得する。この受信チャンネルデータは、チューナ１３に出力される。
【００３２】
なお、ＲＡＭ１２に記憶されるチャンネル番号は、ユーザの設定により、ユーザが希望するチャンネル番号のみが記憶される。即ち、ＲＡＭ１２には、全てのＲＯＭ１１のアドレスポインタが記憶されているわけではない。
【００３３】
また、テレビ受信機１は、チューナ１３、デマルチプレクサ（以下、ＤＥＭＵＸと言う）１４、及びＯＳＤ（On-Screen Display）回路１５を備えており、それそれＣＰＵ１０に接続されている。
【００３４】
チューナ１３は、ディジタル放送信号を受信するアンテナ１３ａが接続されている。かかるアンテナ１３ａは、周波数変換器を備え、受信し、周波数変換した信号をチューナ１３に出力する。そして、チューナ１３は、ＣＰＵ１０が出力した受信チャンネルデータに基づいて、映像・音声データを含む高周波ディジタル変調信号のうちから特定の周波数の信号を選択する。すなわち、チューナ１３は、指定チャンネルに基づき、複数の放送信号から一つの放送信号を選択する処理を行う。また、チューナ１３は、ＤＥＭＵＸ１４と接続しており、選択した放送信号を復調し、トランスポート・ストリームをＤＥＭＵＸ１４に出力する。
【００３５】
ＤＥＭＵＸ１４は、前記トランスポート・ストリームを、ＭＰＥＧ２（Moving Picture Experts Group2）のビデオストリーム、オーディオストリーム、及び番組情報等に分離する。ＤＥＭＵＸ１４には復調回路１６が接続されており、ＤＥＭＵＸ１４は、デオストリームとオーディオストリームを復調回路１６に供給する。また、ＤＥＭＵＸ１４は、ＯＳＤ回路１５と接続しており、番組情報をＯＳＤ回路１５又はＣＰＵ１０に出力する。
【００３６】
ＯＳＤ回路１５は、ＣＰＵ１０又はＤＥＭＵＸ１４から出力された番組情報に基づく映像データを生成する。そして、ＯＳＤ回路１５は、番組情報に基づいてＥＰＧ（Electronic Program Guide）を表示する。また、ＯＳＤ回路１５は、ＣＰＵ１０から出力された変更情報に基づく映像データを生成する。変更情報は、チャンネル番号が変更された場合にＣＰＵ１０から出力される。そして、ＯＳＤ回路１５は、変更情報に基づいて図３に示す変更情報画面２ａを表示する。変更情報画面は、変更されたチャンネル番号が報知する画面である。
【００３７】
さらに、テレビ受信機１は、映像及び音声の処理を行う、復調回路１６、映像処理回路１８及び音声処理回路１９を備えている。復調回路１６は、ＤＥＭＵＸ１４に接続され、映像処理回路１８及び音声処理回路１９は、復調回路１６に接続されている。
【００３８】
復調回路１６は、ＤＥＭＵＸ１４から供給されたビデオストリーム及びオーディオストリームのデコードを行い、音声データ及び映像データを生成する。そして、復調回路１６は、映像データを映像処理回路１８に出力すると共に、音声データを音声処理回路１９に出力する。
【００３９】
映像処理回路１８は、復調回路１６が出力した映像データのＤ／Ａ変換を行い、例えばコンポジット信号を生成する。そして、接続されるディスプレイ２に生成したコンポジット信号を出力する。
【００４０】
また、音声処理回路１９は、復調回路１６が出力した音声データのＤ／Ａ変換を行い、音声のアナログ信号を生成する。そして、接続されるスピーカ３に音声のアナログ信号を出力する。
【００４１】
ここで、ディスプレイ２に表示される変更情報画面について図３を参照して説明する。図３は、変更されたチャンネル番号を報知するときの表示画面を示す図である。
【００４２】
指定チャンネルの放送が放送時間外である場合、指定チャンネルは変更されるようになっている。この場合において、ディスプレイ２には、図３に示すように、変更された指定チャンネル（図中では２ｃｈ）を報知する変更情報画面２ａが表示される。例えば、指定チャンネルが２ｃｈであって、２ｃｈの放送が終了し、開始していない場合、指定チャンネルが他の番号に変更される。そして、変更情報画面２ａが表示されることにより、変更された指定チャンネルの２ｃｈが報知される。この変更情報画面２ａを表示することで、ユーザは、指定チャンネルの放送が終了し、開始しておらず、他の番号に変更されたことが把握できる。
【００４３】
なお、指定チャンネルの変更後の番号は、現在視聴中の放送のチャンネル番号を含む。例えば、４ｃｈの放送が視聴されており、指定チャンネルの２ｃｈの放送が終了し、開始していない場合、指定チャンネルを２ｃｈから４ｃｈに変更するようにしてもよい。即ち、放送時間外の放送のチャンネル番号が指定された場合、放送が切り替わることなく、視聴中の映像に変更情報画面２ａが表示されることとなる。
【００４４】
また、ユーザの煩わしさを回避する目的で、ユーザの操作により変更情報画面を表示しないように選択できるようにしてもよい。また、ディスプレイ２の表示画面の変形例である図６に示すように、ユーザがこれまでに指定し、放送が放送時間外のチャンネル番号を、履歴として複数表示させるようにしてもよい。この場合、ユーザが放送時間外のチャンネル番号を再度指定してしまうといった無駄な操作を回避できるようになる。
【００４５】
次に、上述のように構成されるテレビ受信機１のＣＰＵ１０が実行する動作処理ルーチンについて、図４及び図５を参照して説明する。図４は、テレビ受信機が実行する処理ルーチンのフローチャートである。また、図５は、図４の自動切替処理ルーチンのフローチャートである。なお、図４の処理ルーチンの開始時において、直前に視聴していた放送の映像及び音声が出力される。
【００４６】
テレビ受信機１のＣＰＵ１０は、まず、リモコン３０から信号光を受光したか否かを判定する（Ｓ１）。信号光を受光していない場合（Ｓ１：ＮＯ）、ＣＰＵ１０は、受光するまで待機する。信号光を受光した場合（Ｓ１：ＹＥＳ）、ＣＰＵ１０は、受光した信号光に基づいて、操作されたリモコン３０のボタンがｃｈボタンであるか否かを判定する（Ｓ２）。操作されたボタンがｃｈボタンの場合（Ｓ２：ＹＥＳ）、ＣＰＵ１０は、指定チャンネルの放送信号を選択する（Ｓ３）。
【００４７】
具体的には、ＣＰＵ１０は、信号光から指定チャンネルを取得する。そして、ＣＰＵ１０は、ＲＡＭ１２を参照して、指定チャンネルに対応するＲＯＭ１１のアドレスポインタを取得する。続いて、ＣＰＵ１０は、取得したポインタに基づいてＲＯＭ１１から受信チャンネルデータを取得し、受信チャンネルデータをチューナ１３に出力する。そして、チューナ１３は、受信チャンネルデータに基づいて複数の放送信号から一の放送信号を選択する。
【００４８】
次に、ＣＰＵ１０は、指定チャンネルの放送が放送時間外であるか否かを判定する（Ｓ４）。具体的には、ＣＰＵ１０は、チューナ１３が選択した放送信号に、映像データ及び音声データが含まれているか否かを判定する。指定チャンネルの放送が放送時間外である場合（Ｓ４：ＹＥＳ）、ＣＰＵ１０は、ディスプレイ２に変更情報画面を表示される（Ｓ５）。即ち、ＣＰＵ１０は、放送を切り替えることなく、ディスプレイ２に変更情報画面を出力させる。かかる変更報知画面は、所定時間が経過すると非表示にされる。その後、ＣＰＵ１０は、Ｓ１に処理を戻す。
【００４９】
なお、リモコン３０のｃｈボタンが操作した場合において、指定チャンネルが、これまでに指定し、放送が放送時間外であるチャンネル番号であれば、変更情報画面を表示しないようにしてもよい。
【００５０】
一方、Ｓ４において、指定チャンネルが放送時間外でない場合（Ｓ４：ＮＯ）、Ｓ３において選択した放送信号に基づいて、映像及び音声をディスプレイ２及びスピーカ３から出力させる（Ｓ６）。その後、ＣＰＵ１０は、Ｓ１に処理を戻す。
【００５１】
Ｓ２において、操作されたリモコン３０のボタンがｃｈボタンでない場合（Ｓ２：ＮＯ）、ＣＰＵ１０は、操作されたリモコン３０のボタンがオートｃｈボタンであるか否かを判定する（Ｓ７）。操作されたボタンがオートｃｈボタンでなければ（Ｓ７：ＮＯ）、操作されたボタンに対する処理を行う（Ｓ８）。例えば、音量ボタンが操作された場合、出力音量を調整する。操作されたボタンがオートｃｈボタンである場合（Ｓ７：ＹＥＳ）、図５に示す自動切替処理を行う（Ｓ９）。
【００５２】
図５の処理ルーチンに移り、まず、ＣＰＵ１０は、ＲＡＭ１２のアドレスポインタをインクリメント、即ち、１増加する（Ｓ２０）。これにより、チャンネル番号を次順の番号に切り替えることができる。例えば、上述したように、「２１００」番地に１ｃｈが対応付けられ、「２１０１」番地に２ｃｈが対応付けられる。そして、１ｃｈの放送が視聴されている場合、１ｃｈに対応するＲＡＭ１２のアドレスポインタをインクリメントすることで、「２１０１」番地が参照される。即ち、チャンネル番号が２ｃｈに変更される。
【００５３】
次に、ＣＰＵ１０は、アドレスポインタをインクリメントした結果、ＲＡＭ１２の上限アドレスに対するポインタか否かを判定する（Ｓ２１）。上限アドレスに対するポインタである場合（Ｓ２１：ＹＥＳ）、ＣＰＵ１０は、ＲＡＭ１２のアドレスポインタを下限アドレスに設定する（Ｓ２２）。具体的には、ＲＡＭ１２の「２１００」〜「２１５０」番地にＲＯＭ１１のアドレスポインタが記憶されている場合、「２１５０」番地に対するポインタを、「２１００」番地に対するポインタに設定する。
【００５４】
その後、ＣＰＵ１０は、処理をＳ２３に移す。一方、Ｓ２１においても、上限アドレスに対するポインタでない場合（Ｓ２１：ＮＯ）、ＣＰＵ１０は、処理をＳ２４に移す。
【００５５】
Ｓ２３において、ＣＰＵ１０は、指定チャンネルの放送信号を選択する。具体的には、ＣＰＵ１０は、Ｓ２０又はＳ２２において、設定されたＲＡＭ１２のアドレスポインタに対するチャンネル番号の放送信号を選択する。そして、ＣＰＵ１０は、指定チャンネルの放送が放送時間外であるか否かを判定する（Ｓ２４）。放送が放送時間外である場合（Ｓ２４：ＹＥＳ）、ＣＰＵ１０は、ＲＡＭ１２に指定チャンネルが記憶されているか否かを判定する（Ｓ２５）。
【００５６】
ＲＡＭ１２に指定チャンネルが記憶されている場合（Ｓ２５：ＹＥＳ）、ＣＰＵ１０は、Ｓ２０に処理を戻し、次順のチャンネル番号について同じ処理を実行する。ＲＡＭ１２には、放送が放送時間外であるチャンネル番号を指定した場合に、そのチャンネル番号が記憶される。このため、指定チャンネルがＲＡＭ１２に記憶されている場合、これまでにそのチャンネル番号が指定されたと判断できる。
【００５７】
ＲＡＭ１２に指定チャンネルが記憶されていない場合（Ｓ２５：ＮＯ）、ＣＰＵ１０は、指定チャンネルをＲＡＭ１２に記憶する（Ｓ２６）。そして、ＣＰＵ１０は、記憶した指定チャンネルを、変更情報画面を表示する際に報知するチャンネル番号としてスキップ情報に登録する（Ｓ２７）。そして、ＣＰＵ１０は、Ｓ２０に処理を戻し、次順のチャンネル番号について同じ処理を実行する。
【００５８】
なお、ＲＡＭ１２に記憶される指定チャンネルは、テレビ受信機１の主電源スイッチがオフにされた場合に消去するようにしてもよいし、所定時間が経過した場合に消去するようにしてもよい。
【００５９】
また、Ｓ２４において、放送が放送時間外でない場合（Ｓ２４：ＮＯ）、ＣＰＵ１０は、Ｓ２３において選択した放送信号に含まれる映像データ及び音声データをディスプレイ２及びスピーカ３からそれぞれ出力させる（Ｓ２８）。次に、ＣＰＵ１０は、スキップ情報にチャンネル番号が登録されているか否かを判定する（Ｓ２９）。スキップ情報にチャンネル番号が登録されている場合（Ｓ２９：ＹＥＳ）、ＣＰＵ１０は、変更情報画面を表示し、スキップ情報に登録されるチャンネル番号を報知する（Ｓ３０）。そして、ＣＰＵ１０は、ＲＡＭ１２に記憶されるスキップ情報をクリアにし（Ｓ３１）、Ｓ３２に処理を移す。一方、ＣＰＵ１０は、スキップ情報にチャンネル番号が登録されていない場合においても（Ｓ２９：ＮＯ）、Ｓ３２に処理を移す。スキップ情報に登録されるチャンネル番号をクリアにすることで、同じチャンネル番号を再度報知しないようになっている。
【００６０】
Ｓ３２において、ＣＰＵ１０は、Ｓ２０においてＲＡＭ１２のアドレスポインタをインクリメントした結果、ＲＡＭ１２のアドレスを一巡したか否かを判定する。一巡していない場合（Ｓ３２：ＮＯ）、ＣＰＵ１０は、Ｓ２０に処理を戻す。一巡した場合（Ｓ３２：ＹＥＳ）、ＣＰＵ１０は、本ルーチンを終了し、図４のＳ１に処理を戻す。
【００６１】
以上、説明したように、本実施の形態のテレビ受信機１は、視聴するチャンネル番号の放送が放送時間外である場合、指定されたチャンネル番号を変更し、変更したチャンネル番号をディスプレイ２に表示する。これにより、指定チャンネルの放送が放送時間外であったことを、ユーザに明確に把握させることができる。また、チャンネル番号が昇順に指定され、指定されたチャンネル番号の放送が放送時間外である場合は、その次順のチャンネル番号が指定されるようになっている。これにより、ユーザは、放送をチャンネル番号順にチェックすることができる。さらに、変更前のチャンネル番号をＲＡＭ１２に記憶し、そのチャンネル番号が指定された場合、変更の報知を禁止している。即ち、一度報知した変更を再度報知しないようになっている。これにより、一度報知した変更を再度報知しないようにすることで、ユーザに煩わしさを感じさせないようにできる。
【００６２】
なお、本実施の形態では、本発明の受信装置をテレビ受信機として説明しているが、これに限定されることはない。例えば、ラジオ受信機であってもよい。また、ディスプレイ及びスピーカを備えてなくてもよい。この場合、外部のディスプレイ及びスピーカに、受信した放送信号の映像データ及び音声データを出力する構成となる。さらに、変更された指定チャンネルの報知は、音声による報知であってもよいし、ランプを点灯させる報知でもよい。
【００６３】
また、本実施の形態では、ＣＰＵ１０は、受信する放送信号に映像データ及び音声データを含んでいない場合に放送が終了していると判定しているが、水平同期信号又は垂直同期信号を受信しない場合に放送が終了していると判定するようにしてもよい。また、指定チャンネルの放送信号が受信できない場合に放送が終了していると判定するようにしてもよい。さらに、受信した番組プログラムに基づいて、予め放送終了時間を記憶し、かかる時間に放送信号を受信した場合に、放送が終了していると判定するようにしてもよい。その他、放送が終了していると判定する条件は適宜変更可能である。
【００６４】
また、リモコン３０のオートｃｈボタンが操作された場合、チャンネル番号を昇順に切り替えるようにしているが、チャンネル番号を降順に切り替えるようにしてもよい。また、変更情報画面を表示し、チャンネル番号を報知した場合、再度同じチャンネル番号を報知しないようにしているが、同じチャンネル番号を再度報知するようにしてもよい。
【００６５】
以上、本発明の好適な一実施の形態について、具体的に説明したが、各構成及び各処理動作等は適宜変更可能であって、上述の実施の形態に限定されることはない。
【図面の簡単な説明】
【００６６】
【図１】本実施の形態のテレビ受信機を示す概略図である。
【図２】図１のテレビ受信機の電気的構成を示す図である。
【図３】変更されたチャンネル番号を報知するときの表示画面を示す図である。
【図４】テレビ受信機が実行する処理ルーチンのフローチャートである。
【図５】図４の自動切替処理ルーチンのフローチャートである。
【図６】変更されたチャンネル番号を報知するときの表示画面の変形例を示す図である。
【符号の説明】
【００６７】
１  テレビ受信機
２  ディスプレイ
２ａ  変更情報画面
３  スピーカ
４  リモコン受光器
【図１】
2008283395.tif 000003
【図２】
2008283395.tif 000004
【図３】
2008283395.tif 000005
【図４】
2008283395.tif 000006
【図５】
2008283395.tif 000007
【図６】
2008283395.tif 000008